(57)【要約】【課題】製造工程を簡略化しつつ最終製品の見栄えを向上することができるフィルム材のインサート成形方法及びその装置を提供する。【解決手段】意匠部５を備えたフィルム材１１の表面に透明樹脂層３を形成すると共に裏面に基材樹脂層４を形成するフィルム材１１のインサート成形方法であって、フィルム材１１の最終形状の外周端近傍部に放射方向外側に延びる縁部２ａを備えた第１中間体２を形成する中間体形成工程Ｓ１と、縁部２ａが固定された第１中間体２の表面に射出成形によって透明樹脂層３を備えた第２中間体６を形成する透明樹脂層形成工程Ｓ２と、第２中間体６の裏面に射出成形によって縁部２ａの放射方向外側端部を覆う基材樹脂層４を備えたエンブレム１を形成する基材樹脂層形成工程Ｓ３と、を有する。【選択図】  図１
2018051974.tif 000002
【特許請求の範囲】
【請求項１】
意匠部を備えたフィルム材の表面に透明樹脂層を形成すると共に裏面に基材樹脂層を形成するフィルム材のインサート成形方法において、
前記フィルム材の最終形状の外周端近傍部に放射方向外側に延びる縁部を備えた第１中間体を形成する中間体形成工程と、
前記縁部が固定された第１中間体の表面に射出成形によって透明樹脂層を備えた第２中間体を形成する透明樹脂層形成工程と、
前記第２中間体の裏面に射出成形によって前記縁部の放射方向外側端部の表面を覆う基材樹脂層を備えたインサート成形品を形成する基材樹脂層形成工程と、
を有することを特徴とするフィルム材のインサート成形方法。
【請求項２】
前記中間体形成工程において、前記縁部に放射方向内側に凹入した１又は複数の凹部を形成し、
前記透明樹脂層形成工程において、前記１又は複数の凹部により前記第１中間体を位置決めすることを特徴とする請求項１に記載のフィルム材のインサート成形方法。
【請求項３】
前記透明樹脂層形成工程において、前記第１中間体をロケートピンで位置決めすると共に前記透明樹脂層のロケートピンに対応した位置に放射方向内側に凹設された受面部が形成され、
前記基材樹脂層形成工程において、前記基材樹脂層が前記受面部を覆うように形成されたことを特徴とする請求項１又は２に記載のフィルム材のインサート成形方法。
【請求項４】
前記中間体形成工程において、前記縁部に放射方向に延びる複数の切れ込みを形成することを特徴とする請求項１〜３の何れか１項に記載のフィルム材のインサート成形方法。
【請求項５】
前記中間体形成工程において、前記意匠部に凹凸形状を形成し、
前記基材樹脂層形成工程において、前記インサート成形品の厚みが均一になるように前記基材樹脂層を形成することを特徴とする請求項１〜４の何れか１項に記載のフィルム材のインサート成形方法。
【請求項６】
意匠部を備えたフィルム材の表面に透明樹脂層を形成すると共に裏面に基材樹脂層を形成するフィルム材のインサート成形装置において、
前記フィルム材の最終形状の外周端近傍部に形成された放射方向外側に延びる縁部を備え且つ前記縁部が固定された第１中間体の表面に射出成形によって透明樹脂層を備えた第２中間体を形成する透明樹脂層形成手段と、
前記第２中間体の裏面に射出成形によって前記縁部の放射方向外側端部の表面を覆う基材樹脂層を備えたインサート成形品を形成する基材樹脂層形成手段と、
を有することを特徴とするフィルム材のインサート成形装置。
【請求項７】
前記透明樹脂層形成手段が、前記縁部の放射方向内側に凹入した１又は複数の凹部により前記第１中間体を位置決めする位置決め機構を備えたことを特徴とする請求項６に記載のフィルム材のインサート成形装置。
【発明の詳細な説明】
【技術分野】
【０００１】
本発明は、意匠部を備えたフィルム材の表面に透明樹脂層を形成すると共に裏面に基材樹脂層を形成するフィルム材のインサート成形方法及びその装置に関する。
【背景技術】
【０００２】
従来より、車両の内外装品や家電製品等の樹脂成形品において装飾性を向上させるため、意匠部を備えたフィルム材をインサート成形方法によって透明樹脂層或いは基材樹脂層に貼り付け一体化するものが実用に供されている。
フィルム材を基材樹脂層等に貼り付ける方法としては、意匠部が絵柄や凹凸形状により加飾（予備成形）されたフィルム材を射出成形金型のキャビティ内に配置した後、基材樹脂層等の材料である溶融樹脂材をキャビティ内に射出することで、フィルム材と基材樹脂層等を熱溶着にて接合する方法が採用されている。
【０００３】
近年、フロントグリルの後方に、車間距離や障害物との離隔距離を計測する等の運転支援を狙いとして、電波レーダ装置（例えば、ミリ波レーダ装置等）が配設されている。
意匠部を備えた外装品であるエンブレムは、車体前端のフロントグリル中央部分に固定されるため、電波レーダ装置から照射されるレーダ波の進行経路と重複する位置を占有している。そこで、レーダ波が透過可能な特性を有するエンブレム（車両用電波透過カバー）の製造方法が提案されている。
【０００４】
特許文献１の車両用電波透過カバーの製造方法は、意匠部を凹凸形成すると共に金属膜が蒸着されたフィルム材を賦形する賦形工程と、前記フィルム材を最終外形形状に成形して加飾体を形成する加飾体形成工程と、加飾体を形成する加飾体形成工程と、加飾体の表面に射出工程によって透明樹脂層を形成する透明樹脂層形成工程と、加飾体の裏面に射出工程によって基材樹脂層を形成する基材樹脂層形成工程とを備えている。
これにより、フィルム材と透明樹脂層と基材樹脂層の３層構造からなるエンブレムを製造している。
【先行技術文献】
【特許文献】
【０００５】
【特許文献１】特開２０１０−１１１０１０号公報
【発明の概要】
【発明が解決しようとする課題】
【０００６】
特許文献１の車両用電波透過カバーの製造方法は、フィルム材の表裏両面に透明樹脂層と基材樹脂層とを順次射出成形した後に、全体を成形（裁断）して最終製品の外形形状にトリミングする製造工程が不要になるため、製造工程が簡略化される。
しかし、特許文献１の技術では、最終工程である基材樹脂層形成工程の後に外形形状をトリミングする必要がなく、製造工程を簡略化できるという利点を有するものの、以下のように、基材樹脂層形成工程後の最終製品（インサート成形品）の見栄えを十分に向上できない虞がある。
【０００７】
まず、第１に、意匠部を形成するフィルム材に皺が発生する虞がある。
透明樹脂層形成工程終了後、ゲート内に残る溶融樹脂が固化することにより形成されたゲート樹脂固形物の除去による除去痕を考慮して、意匠面を避けたキャビティの側部位置にゲートを配置してキャビティの側方からキャビティ内に溶融樹脂材料を注入するサイドゲートタイプの金型が採用される傾向にある。
それ故、サイドゲート内をフィルム材の面に対して平行な方向に流動する溶融透明樹脂材の流動圧によって金型に配置されたフィルム材に剪断方向の力が作用し、フィルム材が規定位置から移動する要因になっている。
【０００８】
第２に、最終製品の外周側面にフィルム材の端部が露出する虞がある。
フィルム材の表裏両面に、透明樹脂層と基材樹脂層とがフィルム材間に介装した状態で夫々射出成形により形成されている。
それ故、最終製品の外周側面において、透明樹脂層と基材樹脂層の間に意匠部を形成していないフィルム材端部の存在が視認される。
以上のように、最終製品の見栄えについては、依然として改善の余地が残されている。
【０００９】
本発明の目的は、製造工程を簡略化しつつ最終製品の見栄えを向上できるフィルム材のインサート成形方法及びその装置等を提供することである。
【課題を解決するための手段】
【００１０】
請求項１の発明は、意匠部を備えたフィルム材の表面に透明樹脂層を形成すると共に裏面に基材樹脂層を形成するフィルム材のインサート成形方法において、前記フィルム材の最終形状の外周端近傍部に放射方向外側に延びる縁部を備えた第１中間体を形成する中間体形成工程と、前記縁部が固定された第１中間体の表面に射出成形によって透明樹脂層を備えた第２中間体を形成する透明樹脂層形成工程と、前記第２中間体の裏面に射出成形によって前記縁部の放射方向外側端部の表面を覆う基材樹脂層を備えたインサート成形品を形成する基材樹脂層形成工程と、を有することを特徴とするフィルム材のインサート成形方法。
【００１１】
この構成によれば、フィルム材の最終形状の外周端近傍部に放射方向外側に延びる縁部を備えた第１中間体を形成する中間体形成工程と、縁部が固定された第１中間体の表面に射出成形によって透明樹脂層を備えた第２中間体を形成する透明樹脂層形成工程とを有するため、透明樹脂層形成工程のとき、フィルム材の縁部を第１，第２金型に対して固定することができ、これにより、ゲート内を流動する溶融透明樹脂材の流動圧によるフィルム材の移動を防止し、フィルム材の皺発生を防止することができる。
第２中間体の裏面に射出成形によって縁部の放射方向外側端部の表面を覆う基材樹脂層を備えたインサート成形品を形成する基材樹脂層形成工程を有するため、最終製品であるインサート成形品の外周側面からフィルム材の端部の露出を防止でき、フィルム材端部が視認されることを防止できる。
【００１２】
請求項２の発明は、請求項１の発明において、前記中間体形成工程において、前記縁部に放射方向内側に凹入した１又は複数の凹部を形成し、前記透明樹脂層形成工程において、前記１又は複数の凹部により前記第１中間体を位置決めすることを特徴としている。
この構成によれば、透明樹脂層形成工程における第１中間体の位置決め精度を向上することができる。
【００１３】
請求項３の発明は、請求項１又は２の発明において、前記透明樹脂層形成工程において、前記第１中間体をロケートピンで位置決めすると共に前記透明樹脂層のロケートピンに対応した位置に放射方向内側に凹設された受面部が形成され、前記基材樹脂層形成工程において、前記基材樹脂層が前記受面部を覆うように形成されたことを特徴としている。
この構成によれば、第１中間体の位置決め精度と見栄え向上とを両立することができる。
【００１４】
請求項４の発明は、請求項１〜３の何れか１項の発明において、前記中間体形成工程において、前記縁部に放射方向に延びる複数の切れ込みを形成することを特徴としている。
この構成によれば、第１中間体の金型による固定強化のために縁部を延ばした場合でも、第１中間体に発生する皺の発生を抑制することができる。
【００１５】
請求項５の発明は、請求項１〜４の何れか１項の発明において、前記中間体形成工程において、前記意匠部に凹凸形状を形成し、前記基材樹脂層形成工程において、前記インサート成形品の厚みが均一になるように前記基材樹脂層を形成することを特徴としている。
この構成によれば、深み感を備えつつ電波透過性を確保することができる。
【００１６】
請求項６の発明は、意匠部を備えたフィルム材の表面に透明樹脂層を形成すると共に裏面に基材樹脂層を形成するフィルム材のインサート成形装置において、前記フィルム材の最終形状の外周端近傍部に形成された放射方向外側に延びる縁部を備え且つ前記縁部が固定された第１中間体の表面に射出成形によって透明樹脂層を備えた第２中間体を形成する透明樹脂層形成手段と、前記第２中間体の裏面に射出成形によって前記縁部の放射方向外側端部の表面を覆う基材樹脂層を備えたインサート成形品を形成する基材樹脂層形成手段と、を有することを特徴としている。
この構成によれば、フィルム材の最終形状の外周端近傍部に形成された放射方向外側に延びる縁部を備え且つ縁部が固定された第１中間体の表面に射出成形によって透明樹脂層を備えた第２中間体を形成する透明樹脂層形成手段を有するため、透明樹脂層形成工程のとき、フィルム材の縁部を固定することができ、これにより、ゲート内を流動する溶融透明樹脂材の流動圧によるフィルム材の移動を防止し、フィルム材の皺発生を防止することができる。第２中間体の裏面に射出成形によって縁部の放射方向外側端部の表面を覆う基材樹脂層を備えたインサート成形品を形成する基材樹脂層形成手段を有するため、最終製品であるインサート成形品の外周側面からフィルム材の端部が露出することを防止でき、フィルム材端部の視認を防止することができる。
【００１７】
請求項７の発明は、請求項６の発明において、前記透明樹脂層形成手段が、前記縁部の放射方向内側に凹入した１又は複数の凹部により前記第１中間体を位置決めする位置決め機構を備えたことを特徴としている。
この構成によれば、透明樹脂層形成工程における第１中間体の位置決め精度を向上することができる。
【発明の効果】
【００１８】
本発明のフィルム材のインサート成形方法及びその装置によれば、製造工程を簡略化しつつ最終製品の見栄えを向上することができる。
【図面の簡単な説明】
【００１９】
【図１】実施例１に係るフィルム材のインサート成形方法によって製造された車両のエンブレムの部分縦断面斜視図である。
【図２】図１の要部拡大図であって、（ａ）はａ領域、（ｂ）はｂ領域の拡大図である。
【図３】フィルム材のインサート成形方法のフローチャートである。
【図４】中間体形成工程のフローチャートである。
【図５】色付工程の工程図である。
【図６】凹凸作成工程を順番に示す工程図である。
【図７】第１中間体の正面図である。
【図８】透明樹脂層形成工程のフローチャートである。
【図９】第１金型本体と入子型の分解斜視図である。
【図１０ａ】透明樹脂層形成工程の第１工程における第１，第２金型の縦断面図である。
【図１０ｂ】透明樹脂層形成工程の第２工程における第１，第２金型の縦断面図である。
【図１０ｃ】透明樹脂層形成工程の第３工程における第１，第２金型の縦断面図である。
【図１０ｄ】透明樹脂層形成工程の第４工程における第１，第２金型の縦断面図である。
【図１１】サイドゲート回りの縦断面図である。
【図１２】透明樹脂層形成工程における樹脂温度のタイムチャートである。
【図１３】第１金型本体のロケートピン回りの縦断面図であって、（ａ）はエジェクト前、（ｂ）はエジェクト時の図である。
【図１４】基材樹脂層形成工程のフローチャートである。
【図１５ａ】基材樹脂層形成工程の第１工程における第１，第２金型の横断面図である。
【図１５ｂ】基材樹脂層形成工程の第２工程における第１，第２金型の横断面図である。
【図１５ｃ】基材樹脂層形成工程の第３工程における第１，第２金型の横断面図である。
【図１５ｄ】基材樹脂層形成工程の第４工程における第１，第２金型の横断面図である。
【発明を実施するための形態】
【００２０】
以下、本発明の実施形態を図面に基づいて詳細に説明する。
以下の説明は、本発明を車両のエンブレムの成形方法及びその装置に適用したものを例示したものであり、本発明、その適用物、或いは、その用途を制限するものではない。
【実施例１】
【００２１】
以下、本発明の実施例１について図１〜図１５に基づいて説明する。
まず、エンブレム１（インサート成形品）が装着される車両について説明する。
この車両は、フロントグリルの裏面側位置にミリ波レーダ（図示略）を備えている。
ミリ波レーダは、３０ＧＨｚ〜３００ＧＨｚの周波数、１〜１０ｍｍの波長を有するミリ波を用いて、自車両から送信された送信波と対象物（例えば先行車両等）から反射された受信波との差に基づき対象物と自車両との車間距離や相対速度を測定可能に構成され、この検出値を用いてオートクルーズシステム等の運転支援システムが実行される。
ミリ波レーダ前方に存在する壁部肉厚が均一に形成されていない場合、厚肉部分と薄肉部分とのミリ波の透過速度に差が生じ、検出値のばらつきに起因して制御精度が低下するため、本実施例では、レーダの進行経路内に厚みが均一に構成されたエンブレム１が含まれるようにミリ波レーダの設置位置が規定されている。
【００２２】
次に、最終製品であるエンブレム１について説明する。
図１に示すように、エンブレム１は、意匠部が形成された第１中間体２と、この第１中間体２の表面に形成された透明樹脂層３と、第１中間体２の裏面に形成された基材樹脂層４等を備えている。このエンブレム１の厚み寸法は、ミリ波レーダが照射するミリ波の波長の半分の整数倍になるように均一に設定されている。
【００２３】
第１中間体２は、光の透過と反射を波長毎に制御できる波長選択性を備え、レーダ光の反射率９０％以上を有し且つ重金属を含まないフィルム材１１（例えば東レ株式会社製ＰＩＣＡＳＵＳ（登録商標））で構成されている。
この第１中間体２は、形状部５ａと、この形状部５ａ周りに形成された背景部５ｂとから構成された意匠部５を備えている。形状部５ａは、金属光沢（例えば銀色等）を備えた所定のマーク形状及びこのマーク形状を囲む楕円形状が背景部５ｂから表面方向に凸状形成されており、背景部５ｂは、形状部５ａを除く領域に黒色で意匠表現されている。
【００２４】
図１に示すように、第１中間体２の表面は、透明な透明樹脂層３によって一様に覆われている。これにより、意匠部５に深み感を与え、エンブレム１の意匠性を高めている。
透明樹脂層３は、非晶性合成樹脂からなる透明樹脂材１２（例えばポリカーボネート（ＰＣ））で構成されている。この透明樹脂材１２は、分子鎖を有し、溶融状態から冷却、固化する過程で規則的な分子配列をとれないため、ガラス転移温度Ｔｇを超えると機械的強度が急激に低下する特性を有している。
また、透明樹脂材１２は、固化状態においてもランダムな配列になることから、結晶性合成樹脂（例えばポリエチレン（ＰＥ）、ポリプロピレン（ＰＰ）等）と比較して加熱又は冷却において容積の膨張又は収縮において緩やかな変化傾向を有している。
本実施例では、透明樹脂層３の外部に露出した表面を紫外線カット効果を備えたハードコート層で一様に被覆している。
以下、第１中間体２の表面に透明樹脂層３が形成された中間構造体を、説明の便宜上、第２中間体６として説明する。
【００２５】
図１，図２（ａ），図２（ｂ）に示すように、第１中間体２（第２中間体６）の裏面及び第１中間体２の放射方向外側端部の外周部分は、有色（例えば黒色等）の基材樹脂層４によって一様に覆われている。これにより、エンブレム１の剛性を確保しつつ、見栄え向上を図っている。
基材樹脂層４は、非晶性合成樹脂からなる基材樹脂材１３（例えばアクリルニトリルブタジエンスチレン共重合体（ＡＢＳ））で構成されている。この基材樹脂材１３は、透明樹脂材１２のガラス転移温度Ｔｇ（１４５℃）に比べて低いガラス転移温度を有している。
尚、ＡＢＳに代えて、ポリカーボネート、ポリカＡＢＳ（ＰＣ／ＡＢＳ）、ポリカＰＢＴ（ＰＣ／ＰＢＴ）の何れかによって基材樹脂材１３を構成しても良い。
【００２６】
次に、エンブレム１の成形方法について説明する。
以下の説明は、インサート成形装置の説明を含むものである。
図３に示すように、エンブレム１のインサート成形処理手順は、フィルム材１１の最終形状の外周端近傍部に放射方向外側に延びる縁部２ａを備えた第１中間体２（図７参照）を形成する中間体形成工程Ｓ１と、第１，第２金型３１，３２により縁部２ａが固定された第１中間体２の表面に射出成形によって透明樹脂層３を備えた第２中間体６を形成する透明樹脂層形成工程Ｓ２と、第２中間体６の裏面に射出成形によって縁部２ａの放射方向外側端部を覆う基材樹脂層４を備えたインサート成形品としてのエンブレム１を形成する基材樹脂層形成工程Ｓ３とを備えている。
【００２７】
まず、中間体形成工程Ｓ１について詳細に説明する。
図４に示すように、中間体形成工程Ｓ１は、長尺帯状のフィルム材１１の表裏両面に夫々連続して意匠部５に係るスクリーン印刷を行う色付工程Ｓ１１と、各意匠部５の形状部５ａに凹凸形状（凹凸意匠）を形成する凹凸作成工程Ｓ１２と、長尺帯状のフィルム材１１から最終の外形形状になるように不要な部分を取除くトリミングを行ってエンブレム１に対応したフィルム材１１の最終形状（第１中間体２）を形成するトリミング工程Ｓ１３とから構成されている。
【００２８】
図５に示すように、色付工程Ｓ１１では、矢印方向に移動する長尺帯状のフィルム材１１の表裏両面に色付装置２１によって連続印刷している。
色付装置２１は、フィルム材１１の表面に形状部５ａの形状に対応したマスク処理を行い、１巡目にて、マスク処理を行ったフィルム材１１の表面のマスク処理されていない領域（背景部５ｂ）に黒色塗料を転写し、マスクを取り外して乾燥させた後、二巡目にて、フィルム材１１の裏面に灰色塗料を転写し、乾燥させている。
これにより、長尺帯状のフィルム材１１に、凹凸が形成されていない形状部５ａと背景部５ｂとからなる複数の意匠部５が連続して印刷される。
【００２９】
凹凸作成工程Ｓ１２では、長尺帯状のフィルム材１１の形状部５ａに対応する位置に圧空成形型２２，２３によって凹凸形状を形成している。
図６（ａ），図６（ｂ）に示すように、所定位置に配置され且つ加熱軟化されたフィルム材１１を圧空成形型２２，２３の型閉め動作によって挟み込み、型２２とフィルム材１１の間を真空にすると共に型２３側から供給される圧縮空気の圧力によってフィルム材１１を型２２に密着させて凹凸形状を成形している。
これにより、フィルム材１１の形状部５ａに対応する位置、所謂中央のマーク及びマークを囲む楕円部分に高低差約５ｍｍ程度の凹凸意匠が形成されている。
尚、圧空成形に代えて真空成形で凹凸形状を成形しても良い。
【００３０】
トリミング工程Ｓ１３では、トリミング装置（図示略）によってフィルム材１１から第１中間体２を形成している。
図７に示すように、第１中間体２は、形状部５ａと背景部５ｂからなる意匠部５を含み且つエンブレム１に対応するように正面視にて略楕円状に形成され、外周端近傍部に放射方向外側に僅かに延びる縁部２ａを備えている。
縁部２ａの放射方向寸法は、透明樹脂層形成工程Ｓ２において僅かに残る程度の寸法である。
【００３１】
縁部２ａは、第１中間体２の全周に亙って一様に形成されている。
この縁部２ａには、長径方向両端部に放射方向内側に凹入した略矩形状の１対の凹部２ｂと、全周に亙って放射方向に延びる複数の切れ込み部２ｃが設けられている。
縁部２ａのうち、後述するランナー３８ｂに対向する部分には、縁部２ａの放射方向外側端から放射方向外側に延びる延長部２ｄが形成されている。
この延長部２ｄは、先端部分がランナー３８ｂ内に部分的に侵入可能な寸法に設定されている（図１１参照）。
【００３２】
次に、透明樹脂層形成工程Ｓ２について詳細に説明する。
図８に示すように、透明樹脂層形成工程Ｓ２は、第１，第２金型３１，３２を準備する準備工程Ｓ２１と、第１中間体２を第１金型３１に配置する配置工程Ｓ２２と、第１中間体２を第１金型３１に対して位置決め支持する拘束工程Ｓ２３と、型閉工程Ｓ２４と、射出機構（図示略）により溶融した透明樹脂材１２をキャビティＣ１に射出する射出工程Ｓ２５と、透明樹脂材１２を第１冷却速度Ｋ１で冷却する第１冷却工程Ｓ２６と、型開工程Ｓ２７と、第２中間体６を第２冷却速度Ｋ２で冷却する第２冷却工程Ｓ２８等を有している。ここで、第１，第２金型３１，３２が、透明樹脂層形成手段に相当している。
【００３３】
準備工程Ｓ２１では、可動型である第１金型３１と、この第１金型３１と協働してキャビティＣ１を構成する固定型である第２金型３２とを準備している。
第１金型３１は、第１中間体２を水平方向に対して略直交姿勢の状態で支持可能に設けられ、金型温度を調節可能に構成されている。
図９，図１０ａ〜図１０ｄに示すように、第１金型３１は、第１中間体２を真空吸引可能な真空ポンプ３３（吸引機構）と、本体３１ａと、この本体３１ａに設けられた凹所に挿入可能な入子型３１ｂ等を備えている。
入子型３１ｂは、平面視にて形状部５ａの平面形状と同一形状に形成され、入子型３１ｂの一側半部内には本体３１ａの一部が予め装填されている。
本体３１ａと入子型３１ｂは、形状部５ａと背景部５ｂとの境界部に対応した部分に分割隙間（間隔約０．０５ｍｍ）である第１吸引通路３４ａを形成している。
第１吸引通路３４ａは何れも環状に連通されている。また、後述する凸部３６の下流側近傍位置には、第２吸引通路３４ｂが形成されている。
【００３４】
第１金型３１は、可動部３１ｃと、真空ポンプ３３の吸引力を第１，第２吸引通路３４ａ，３４ｂに伝達する複数の溝部３４ｃと、これら複数の溝部３４ｃに均一な吸引力を分配する分配部３５と、本体３１ａのランナー３８ｂの上流部分に対応した位置に形成された凸部３６と、１対のロケートピン３７（位置決め機構）等を備えている。
【００３５】
可動部３１ｃは、本体３１ａのランナー３８ｂに対応した位置を除く第２金型３２側外周部分に設けられ、第２金型３２方向に付勢された状態で本体３１ａから僅かに（例えば約１．３ｍｍ）離隔して配設されている。付勢力及び離隔距離は、この付勢力で可動部３１ｃが第２金型３２に当接しているとき、射出工程Ｓ２５におけるキャビティＣ１内の空気を外部に排出可能な値に設定されている。
射出工程Ｓ２５の際、キャビティＣ１内の透明樹脂材１２が所定の充填率（例えば８０％）に到達したとき、可動部３１ｃが本体３１ａに最接近するように第１金型３１の進出動作が調整されている。
【００３６】
図１０ａ〜図１０ｄに示すように、複数の溝部３４ｃは、第１，第２吸引通路３４ａ，３４ｂの端部分に夫々対応して形成されている。
分配部３５は、第１，第２吸引通路３４ａ，３４ｂを真空ポンプ３３に連通している。この分配部３５は、入子型３１ｂの第２金型３２と反対側部分（第１，第２吸引通路３４ａ，３４ｂの上流側部分）に設けられ、複数の溝部３４ｃに並列状に連結されている。
【００３７】
図９，図１１に示すように、立方体状の凸部３６は、第１中間体２の延長部２ｄの上流側近傍位置において、本体３１ａから直交状に第２金型３２方向に突出し、ランナー３８ｂ内を型面方向一端側から他端側に亙って横切るように形成されている。
凸部３６とランナー３８ｂを構成する第２金型３２の凸部３６に対向する壁部が、透明樹脂材１２の流れ方向変更手段に相当している。
１対のロケートピン３７は、第１中間体２の長径方向両端部に形成された１対の凹部２ｂに夫々嵌合可能に構成されている。これら１対のロケートピン３７は、本体３１ａから第２金型３２方向に進出及び後退可能に夫々形成され、透明樹脂層３の受面部３ａに係合することにより第２中間体６のエジェクト機能を備えている。
【００３８】
図１０ａ〜図１０ｄに示すように、第２金型３２は、第２中間体６を水平方向に対して略直交姿勢の状態で成形可能に設けられ、金型温度を調節可能に構成されている。
第２金型３２は、射出機構と、この射出機構とサイドゲートとをランナー３８ｂを介して連通する導入ゲート３８ａと、ランナー３８ｂの一部を構成し且つ第１金型３１に対向した壁部等を備えている。この第２金型３２と第１金型３１とが型閉めされたとき、第１，第２金型３１，３２が協働してキャビティＣ１とランナー３８ｂを形成し、ランナー３８ｂの下流端部がサイドゲートを形成している。
図１１に示すように、導入ゲート３８ａは、第１金型３１側程径寸法が大きくなるように設定され、型閉め時、ランナー３８ｂとの連結部には所定容量の容積室が形成されるように構成されている。
【００３９】
図１０ａに示すように、第１，第２金型３１，３２を離隔させた状態で、第１中間体２を第１金型３１の規定位置に配置する。配置工程Ｓ２２では、第１中間体２に形成された１対の凹部２ｂを１対のロケートピン３７に夫々嵌合させて位置決めしている。
図１０ｂに示すように、拘束工程Ｓ２３では、形状部５ａと背景部５ｂとの境界部に対応した第１吸引通路３４ａを介して第１中間体２を第１金型３１方向に吸引する。
形状部５ａと背景部５ｂとの境界部を吸引することにより、商品性を維持しつつ支持能力を向上している。特に、形状部５ａが凹凸形状の場合には、境界部（稜線部）に積極的に吸引痕をつけることにより形状部５ａの形状精度を高くすることができる。
また、第１吸引通路３４ａを形状部５ａに対応させて環状に連通することにより、第１中間体２を全域に亙って均等な吸引力で吸引固定している。
【００４０】
図１０ｃに示すように、型閉工程Ｓ２４では、第１金型３１が接近移動することにより、第１，第２金型３１，３２の型面が当接してキャビティＣ１を形成する。
本体３１ａに対して位置決めされた第１中間体２が、第１，第２金型３１，３２による型閉めにより延長部２ｄに対応した縁部２ａを除いて略全周に亙って縁部２ａが第１，第２金型３１，３２に挟持されるため、規定された位置に確実に保持される。
このとき、可動部３１ｃは、所定の付勢力により本体３１ａから離隔している。
【００４１】
図１０ｄに示すように、射出工程Ｓ２５では、射出温度Ｔ１まで加熱された溶融透明樹脂材１２をキャビティＣ１内に射出する。溶融透明樹脂材１２は、射出機構から射出され、導入ゲート３８ａ及びランナー３８ｂを介してキャビティＣ１内に供給される。
図１１の矢印Ｆに示すように、凸部３６が、ランナー３８ｂ内を流動する透明樹脂材１２を凸部３６と反対方向のランナー３８ｂの一部を構成する第２金型３２の壁部に向けて方向変換させ、その後、ランナー３８ｂの一部を構成する第２金型３２の壁部が、第１中間体２の延長部２ｄを第１金型３１方向に押圧するように透明樹脂材１２の流動方向を変更している。これにより、第１中間体２の延長部２ｄには、第２吸引通路３４ｂからの吸引力と透明樹脂材１２からの押圧力とが第１金型３１方向に作用している。
また、キャビティＣ１内の透明樹脂材１２の充填率が８０％未満の期間は、第２金型３２と可動部３１ｃの接触圧力が所定の値に調整されているため、キャビティＣ１内の空気が透明樹脂材１２の流入を阻害することなく外部に排出される。これにより、透明樹脂材１２の注入に同期してキャビティＣ１内から空気を円滑に排出することができる。
【００４２】
第１冷却工程Ｓ２６では、透明樹脂材１２を射出温度Ｔ１から金型温度Ｔ２まで第１冷却速度Ｋ１で冷却する。これにより、透明樹脂層３を成形している。
透明樹脂材１２が非晶性合成樹脂であるため、成形性を考慮したガラス転移温度Ｔｇと金型温度Ｔ２との関係は、次式（１）で表すことができる。
Ｔｇ−４０≦Ｔ２≦Ｔｇ−２０                                        …（１）
従って、透明樹脂材１２がポリカーボネートの場合、２５０℃≦Ｔ１≦３２０℃、１０５℃≦Ｔ２≦１２５℃の温度範囲とされ、本実施例では、射出温度Ｔ１を３００℃、金型温度Ｔ２を１２０℃に設定している。
【００４３】
図１２に示すように、溶融透明樹脂材１２がキャビティＣ１内に供給されるｔ１〜ｔ２の期間（射出工程Ｓ２５）は、透明樹脂材１２の温度が射出温度Ｔ１に維持され、射出工程Ｓ２５の終了と同時に透明樹脂材１２の冷却が開始される。
第１冷却速度Ｋ１は、射出温度Ｔ１と、金型温度Ｔ２と、冷却期間（ｔ３−ｔ２）との関係によって次式（２）のように設定されている。
（Ｔ１−Ｔｇ＋４０）／（ｔ３−ｔ２）≦Ｋ１≦（Ｔ１−Ｔｇ＋２０）／（ｔ３−ｔ２）                                                                  …（２）
尚、冷却期間（ｔ３−ｔ２）は、成形能率と成形性とを考慮して透明樹脂材１２の種類毎に予め設定されている。
【００４４】
また、第１冷却工程Ｓ２６と同時に保圧工程が開始される。
この保圧工程は、第１冷却工程Ｓ２６の期間のうち所定期間第１中間体２と透明樹脂層３とをキャビティＣ１内で保圧している。
型開工程Ｓ２７は、ｔ３〜ｔ４の期間に実行され、第１金型３１を第２金型３２から離隔するように後退移動させた後、第２中間体６を取り出す。
【００４５】
図２（ｂ），図１３（ａ）に示すように、第２中間体６の透明樹脂層３には、凹部２ｂに対応した位置に放射方向内側に凹設された矩形状の受面部３ａが設けられ、１対のロケートピン３７の放射方向内側端部分が、第２中間体６の放射方向外側端部分に部分的に重なり合うことにより係合可能に夫々形成されている。
それ故、図１３（ｂ）に示すように、型開き後、１対のロケートピン３７の進出動作により第２中間体６が第１金型３１から取り出される。
尚、受面部３ａは、角状（矩形状）の凹設部に限らず、傾斜による凹設部であっても良い。傾斜による凹設部の場合、反射光の急激な輝度変化がなく、見栄え改善による商品性向上を図ることができる。
【００４６】
第２冷却工程Ｓ２８では、キャビティＣ１の外に取り出された第２中間体６を第１冷却速度Ｋ１よりも速い第２冷却速度Ｋ２で常温（例えば２０〜３０℃）まで冷却する。
図１２に示すように、第１金型３１から取り出された第２中間体６は、型開工程Ｓ２８の終了と同時に冷却が開始され、ｔ４〜ｔ５の期間冷却される。
これにより、熱収縮速度の速い第１中間体２と、この第１中間体２と一体化された熱収縮速度の遅い透明樹脂層３との収縮量を揃えることができ、両者間に生じる剥離に起因した隙間の発生を抑制している。
【００４７】
第２冷却工程Ｓ２８の第２冷却速度Ｋ２は、２℃／ｓｅｃ以上で透明樹脂層３の収縮促進効果が発揮され、４℃／ｓｅｃ以上で高い効果を期待することができる。
第２中間体６は、第１金型３１からの取り出しと同時に常温水に浸けられている。
第２中間体６の冷媒は、所定の冷却速度を管理できれば良く、ウォータミストによって冷却しても良く、ドライアイスによって冷却することも可能である。
【００４８】
次に、基材樹脂層形成工程Ｓ３について詳細に説明する。
図１４に示すように、基材樹脂層形成工程Ｓ３は、第１，第２金型４１，４２を準備する準備工程Ｓ３１と、第２中間体６を第１金型４１に配置する配置工程Ｓ３２と、第２中間体６を第１金型４１に対して位置決め支持する拘束工程Ｓ３３と、型閉工程Ｓ３４と、射出機構（図示略）により溶融した基材樹脂材１３をキャビティＣ２に射出する射出工程Ｓ３５と、基材樹脂材１３を冷却する冷却工程Ｓ３６と、型開工程Ｓ３７等を有している。ここで、第１，第２金型４１，４２が、基材樹脂層形成手段に相当している。
【００４９】
準備工程Ｓ３１では、固定型である第１金型４１と、この第１金型４１と協働してキャビティＣ２を構成する可動型である第２金型４２とを準備している。
第１金型４１は、第２中間体６を水平方向に対して略直交姿勢の状態で支持可能に設けられ、金型温度を調節可能に構成されている。
図１５ａ〜図１５ｄに示すように、第１金型４１は、１対の開口部４１ａと、第２中間体６を真空吸引可能な真空ポンプ４３（吸引機構）と、１対の開口部４１ａに真空ポンプ４３の吸引力を夫々伝達する１対の吸引通路４４と、真空ポンプ４３の吸引力を通路毎に均一化して分配する分配部４５等を備えている。
尚、説明の便宜上、図１５ａ〜図１５ｄは横断面図を示している。
【００５０】
１対の開口部４１ａは、第２中間体６の透明樹脂層３を吸引するように構成され、略椀状に夫々形成されている。これら開口部４１ａは、透明樹脂層３の表面から第１中間体２までの厚みが第２中間体６の平均厚みよりも厚い領域に対応するように略対称位置に配置されている。本実施例では、第２中間体６の中心に対して長径方向両側の背景部５ｂの位置Ｐ（図７参照）に対応した位置に１対の開口部４１ａを配設している。
１対の開口部４１ａは、真空ポンプ４３と１対の吸引通路４４及び分配部４５を介して夫々連通されている。分配部４５は、一端部が真空ポンプ４３に接続され、他端部が１対の吸引通路４４の上流側端部と並列状に接続されている。
【００５１】
図１５ａ〜図１５ｄに示すように、第２金型４２は、第２中間体６を水平方向に対して略直交姿勢の状態で成形可能に設けられ、金型温度を調節可能に構成されている。
第２金型４２は、射出機構（図示略）と、この射出機構とキャビティＣ２とを連通する導入ゲート４８等を備えている。この第２金型４２と第１金型４１とが型閉めされたとき、第１，第２金型４１，４２が協働してキャビティＣ２を形成している。
キャビティＣ２の形状は、最終のインサート成形品の厚みが略均一で且つ第１中間体２の縁部２ａの放射方向外側端部の表面及び受面部３ａを覆う基材樹脂層４を形成するように構成されている。
導入ゲート４８は、キャビティＣ２の中央部分に対応するように形成され、第１金型４１側程径寸法が大きくなるように構成されている。
【００５２】
図１５ａに示すように、第１，第２金型４１，４２を離隔させた状態で、第２中間体６を第１金型４１の規定位置に配置する。
配置工程Ｓ３２では、透明樹脂層３の長径方向両側の背景部５ｂに対応した領域（位置Ｐに対応した領域）が１対の開口部４１ａに当接するように位置決めしている。
図１５ｂに示すように、拘束工程Ｓ３３では、１対の開口部４１ａを介して第２中間体６を第１金型４１方向に吸引する。第２中間体６を長径方向に略３等分した位置で支持するため、均等な吸引力で支持能力を高くすることができる。
【００５３】
図１５ｃに示すように、型閉工程Ｓ３４では、第２金型４２が接近移動することにより、第１，第２金型４１，４２が当接してキャビティＣ２を形成する。
図１５ｄに示すように、射出工程Ｓ３５では、射出温度Ｔ３まで加熱された溶融基材樹脂材１３をキャビティＣ２内に射出する。溶融基材樹脂材１３は、射出機構から射出され、導入ゲート４８を介してキャビティＣ２内に供給される。
基材樹脂材１３がＡＢＳの場合、射出温度（溶融温度）Ｔ３が１８０〜２７０℃であり、ポリカーボネートのガラス転移温度Ｔｇよりも高いため、透明樹脂層３の軟化に起因した吸引痕が懸念されるが、溶融基材樹脂材１３の熱が最も伝達され難い部分（位置Ｐに対応した領域）で支持することにより、吸引痕の発生を回避している。また、第１中間体２の縁部２ａに放射方向に延びる複数の切れ込み部２ｃが形成されているため、皺対策に加えて、溶融基材樹脂材１３の縁部２ａの表面側への回り込み性を高めている。
【００５４】
冷却工程Ｓ３６では、基材樹脂材１３を射出温度Ｔ３から金型温度Ｔ４まで一定の冷却速度で冷却する。溶融基材樹脂材１３を固化させることにより、基材樹脂層４を成形している。基材樹脂材１３がＡＢＳの場合、４０℃≦Ｔ４≦８０℃の温度範囲とされる。
冷却工程Ｓ３６の冷却速度は、射出温度Ｔ３と、金型温度Ｔ４と、冷却期間との関係によって設定され、冷却期間は、成形能率と成形性とを考慮して基材樹脂材１３の種類毎に予め設定している。
【００５５】
また、冷却工程Ｓ３６と同時に保圧工程が開始される。
この保圧工程は、冷却工程Ｓ３６の期間のうち所定期間第２中間体６と基材樹脂層４とをキャビティＣ２内で保圧している。
型開工程Ｓ３７では、第２金型４２を第１金型４１から離隔するように後退移動させた後、エジェクト機構（図示略）により最終製品であるエンブレム１を取り出し、透明樹脂層３の表面にハードコート処理を施す。
【００５６】
次に、本実施例のフィルム材のインサート成形方法及びその装置における作用、効果について説明する。
本インサート成形方法によれば、フィルム材１１の最終形状の外周端近傍部に放射方向外側に延びる縁部２ａを備えた第１中間体２を形成する中間体形成工程Ｓ１と、縁部２ａが固定された第１中間体２の表面に射出成形によって透明樹脂層３を備えた第２中間体６を形成する透明樹脂層形成工程Ｓ２とを有するため、透明樹脂層形成工程Ｓ２のとき、第１中間体２の縁部２ａを第１，第２金型３１，３２に対して固定することができ、これにより、サイドゲートを含むランナー３８ｂ内を流動する溶融透明樹脂材１２の流動圧によるフィルム材１１の移動を防止し、フィルム材１１の皺発生を防止することができる。
第２中間体６の裏面に射出成形によって縁部２ａの放射方向外側端部の表面を覆う基材樹脂層４を備えたエンブレム１を形成する基材樹脂層形成工程Ｓ３を有するため、最終製品であるエンブレム１の外周側面からフィルム材１１の端部の露出を防止でき、フィルム材１１端部が視認されることを防止できる。
【００５７】
中間体形成工程Ｓ１において、縁部２ａに放射方向内側に凹入した１対の凹部２ｂを形成し、透明樹脂層形成工程Ｓ２において、１対の凹部２ｂにより第１中間体２を位置決めするため、透明樹脂層形成工程Ｓ２における第１中間体２の位置決め精度を向上することができる。
透明樹脂層形成工程Ｓ２において、第１中間体２をロケートピン３７で位置決めすると共に透明樹脂層３のロケートピン３７に対応した位置に放射方向内側に凹設された受面部３ａが形成され、基材樹脂層形成工程Ｓ３において、基材樹脂層４が受面部を覆うように形成されたため、第１中間体２の位置決め精度と見栄え向上とを両立することができる。
【００５８】
中間体形成工程Ｓ１において、縁部２ａに放射方向に延びる複数の切れ込み部２ｃを形成するため、第１中間体２の第１，第２金型３１，３２による固定強化のために縁部２ａを延ばした場合でも、第１中間体２に発生する皺の発生を抑制することができる。
中間体形成工程Ｓ１において、意匠部５に凹凸形状を形成し、基材樹脂層形成工程Ｓ３において、エンブレム１の厚みが均一になるように基材樹脂層４を形成するため、深み感を備えつつ電波透過性を確保することができる。
【００５９】
本インサート成形装置は、意匠部５を備えたフィルム材１１の表面に透明樹脂層３を形成すると共に裏面に基材樹脂層４を形成するフィルム材１１のインサート成形装置において、フィルム材１１の最終形状の外周端近傍部に形成された放射方向外側に延びる縁部２ａを備え且つ縁部２ａが固定された第１中間体２の表面に射出成形によって透明樹脂層３を備えた第２中間体６を形成する第１，第２金型３１，３２と、第２中間体６の裏面に射出成形によって縁部２ａの放射方向外側端部の表面を覆う基材樹脂層４を備えたエンブレム１を形成する第１，第２金型４１，４２と、を有している。
この構成によれば、フィルム材１１の最終形状の外周端近傍部に形成された放射方向外側に延びる縁部２ａを備え且つ縁部２ａが固定された第１中間体２の表面に射出成形によって透明樹脂層３を備えた第２中間体６を形成する第１，第２金型３１，３２を有するため、透明樹脂層形成工程Ｓ２のとき、フィルム材１１の縁部２ａを固定することができ、これにより、サイドゲート３８ｂ内を流動する溶融透明樹脂材１２の流動圧によるフィルム材１１の移動を防止し、フィルム材１１の皺発生を防止することができる。第２中間体６の裏面に射出成形によって縁部２ａの放射方向外側端部の表面を覆う基材樹脂層４を備えたエンブレム１を形成する第１，第２金型４１，４２を有するため、最終製品であるエンブレム１の外周側面からフィルム材１１の端部が露出することを防止でき、フィルム材１１端部の視認を防止することができる。
【００６０】
第１，第２金型３１，３２が、縁部２ａの放射方向内側に凹入した１対の凹部２ｂにより第１中間体２を位置決めする１対のロケートピン３７を備えたため、透明樹脂層形成工程Ｓ２における第１中間体２の位置決め精度を向上することができる。
【００６１】
次に、前記実施形態を部分的に変更した変形例について説明する。
１〕前記実施形態においては、形状部が凹凸形成された意匠部の例を説明したが、少なくとも３層構造において、中間層が意匠部を備えたフィルム材で形成されれば良く、意匠部が色彩のみで区別された形状部と背景部とにより形成されたインサート成形品であっても良い。この場合、形状部と背景部との色彩境界部が、金型本体と入子型間の分割隙間に対応するように形成する。
【００６２】
２〕前記実施形態においては、長径方向両端部に１対の凹部を形成した例を説明したが、少なくとも前後左右の位置決めができれば良く、矩形状の場合、１つの凹部であっても良い。３以上の凹部を設ける場合、角部のない断面円状のロケートピンであっても良い。
【００６３】
３〕前記実施形態においては、車両の外装品であるエンブレムの例を説明したが、車両の内装品に適用しても良く、また、車両以外の装飾品に適用可能である。
また、透明樹脂層がＰＣ、フィルム材が重金属を含まない特定材質、基材樹脂層がＡＢＳの例を説明したが、少なくとも設計条件に合致した材質であれば良く、任意に選択することができる。
【００６４】
４〕その他、当業者であれば、本発明の趣旨を逸脱することなく、前記実施形態に種々の変更を付加した形態や各実施形態を組み合わせた形態で実施可能であり、本発明はそのような変更形態も包含するものである。
【符号の説明】
【００６５】
１        エンブレム
２        第１中間体
２ａ      縁部
２ｂ      凹部
２ｃ      切れ込み部
３        透明樹脂層
３ａ      受面部
４        基材樹脂層
５        意匠部
１１      フィルム材
３１      （透明樹脂層形成用）第１金型
３２      （透明樹脂層形成用）第２金型
３７      ロケートピン
４１      （基材樹脂層形成用）第１金型
４２      （基材樹脂層形成用）第２金型
Ｓ１      中間体形成工程
Ｓ２      透明樹脂層工程
Ｓ３      基材樹脂層工程
【図１】
2018051974.tif 000003
【図２】
2018051974.tif 000004
【図３】
2018051974.tif 000005
【図４】
2018051974.tif 000006
【図５】
2018051974.tif 000007
【図６】
2018051974.tif 000008
【図７】
2018051974.tif 000009
【図８】
2018051974.tif 000010
【図９】
2018051974.tif 000011
【図１０ａ】
2018051974.tif 000012
【図１０ｂ】
2018051974.tif 000013
【図１０ｃ】
2018051974.tif 000014
【図１０ｄ】
2018051974.tif 000015
【図１１】
2018051974.tif 000016
【図１２】
2018051974.tif 000017
【図１３】
2018051974.tif 000018
【図１４】
2018051974.tif 000019
【図１５ａ】
2018051974.tif 000020
【図１５ｂ】
2018051974.tif 000021
【図１５ｃ】
2018051974.tif 000022
【図１５ｄ】
2018051974.tif 000023
【手続補正書】
【提出日】平成29年11月20日(2017.11.20)
【手続補正１】
【補正対象書類名】明細書
【補正対象項目名】全文
【補正方法】変更
【補正の内容】
【発明の詳細な説明】
【技術分野】
【０００１】
本発明は、意匠部を備えたフィルム材の表面に透明樹脂層を形成すると共に裏面に基材樹脂層を形成するフィルム材のインサート成形方法及びその装置に関する。
【背景技術】
【０００２】
従来より、車両の内外装品や家電製品等の樹脂成形品において装飾性を向上させるため、意匠部を備えたフィルム材をインサート成形方法によって透明樹脂層或いは基材樹脂層に貼り付け一体化するものが実用に供されている。
フィルム材を基材樹脂層等に貼り付ける方法としては、意匠部が絵柄や凹凸形状により加飾（予備成形）されたフィルム材を射出成形金型のキャビティ内に配置した後、基材樹脂層等の材料である溶融樹脂材をキャビティ内に射出することで、フィルム材と基材樹脂層等を熱溶着にて接合する方法が採用されている。
【０００３】
近年、フロントグリルの後方に、車間距離や障害物との離隔距離を計測する等の運転支援を狙いとして、電波レーダ装置（例えば、ミリ波レーダ装置等）が配設されている。
意匠部を備えた外装品であるエンブレムは、車体前端のフロントグリル中央部分に固定されるため、電波レーダ装置から照射されるレーダ波の進行経路と重複する位置を占有している。そこで、レーダ波が透過可能な特性を有するエンブレム（車両用電波透過カバー）の製造方法が提案されている。
【０００４】
特許文献１の車両用電波透過カバーの製造方法は、意匠部を凹凸形成すると共に金属膜が蒸着されたフィルム材を賦形する賦形工程と、前記フィルム材を最終外形形状に成形して加飾体を形成する加飾体形成工程と、加飾体の表面に射出工程によって透明樹脂層を形成する透明樹脂層形成工程と、加飾体の裏面に射出工程によって基材樹脂層を形成する基材樹脂層形成工程とを備えている。
これにより、フィルム材と透明樹脂層と基材樹脂層の３層構造からなるエンブレムを製造している。
【先行技術文献】
【特許文献】
【０００５】
【特許文献１】特開２０１０−１１１０１０号公報
【発明の概要】
【発明が解決しようとする課題】
【０００６】
特許文献１の車両用電波透過カバーの製造方法は、フィルム材の表裏両面に透明樹脂層と基材樹脂層とを順次射出成形した後に、全体を成形（裁断）して最終製品の外形形状にトリミングする製造工程が不要になるため、製造工程が簡略化される。
しかし、特許文献１の技術では、最終工程である基材樹脂層形成工程の後に外形形状をトリミングする必要がなく、製造工程を簡略化できるという利点を有するものの、以下のように、基材樹脂層形成工程後の最終製品（インサート成形品）の見栄えを十分に向上できない虞がある。
【０００７】
まず、第１に、意匠部を形成するフィルム材に皺が発生する虞がある。
透明樹脂層形成工程終了後、ゲート内に残る溶融樹脂が固化することにより形成されたゲート樹脂固形物の除去による除去痕を考慮して、意匠面を避けたキャビティの側部位置にゲートを配置してキャビティの側方からキャビティ内に溶融樹脂材料を注入するサイドゲートタイプの金型が採用される傾向にある。
それ故、サイドゲート内をフィルム材の面に対して平行な方向に流動する溶融透明樹脂材の流動圧によって金型に配置されたフィルム材に剪断方向の力が作用し、フィルム材が規定位置から移動する要因になっている。
【０００８】
第２に、最終製品の外周側面にフィルム材の端部が露出する虞がある。
フィルム材の表裏両面に、透明樹脂層と基材樹脂層とがフィルム材間に介装した状態で夫々射出成形により形成されている。
それ故、最終製品の外周側面において、透明樹脂層と基材樹脂層の間に意匠部を形成していないフィルム材端部の存在が視認される。
以上のように、最終製品の見栄えについては、依然として改善の余地が残されている。
【０００９】
本発明の目的は、製造工程を簡略化しつつ最終製品の見栄えを向上できるフィルム材のインサート成形方法及びその装置等を提供することである。
【課題を解決するための手段】
【００１０】
請求項１の発明は、意匠部を備えたフィルム材の表面に透明樹脂層を形成すると共に裏面に基材樹脂層を形成するフィルム材のインサート成形方法において、前記フィルム材の表裏両面に色付をする色付工程と、前記フィルム材の最終形状の外周端より内側に放射方向に延びる縁部を備えた第１中間体を形成する中間体形成工程と、前記縁部が固定された第１中間体の表面に射出成形によって透明樹脂層を備えた第２中間体を形成する透明樹脂層形成工程と、前記第２中間体の裏面に射出成形によって前記縁部の放射方向端部の表面を覆う基材樹脂層を備えたインサート成形品を形成する基材樹脂層形成工程と、を有することを特徴とするフィルム材のインサート成形方法。
【００１１】
この構成によれば、フィルム材の最終形状の外周端より内側に放射方向に延びる縁部を備えた第１中間体を形成する中間体形成工程と、縁部が固定された第１中間体の表面に射出成形によって透明樹脂層を備えた第２中間体を形成する透明樹脂層形成工程とを有するため、透明樹脂層形成工程のとき、フィルム材の縁部を第１，第２金型に対して固定することができ、これにより、ゲート内を流動する溶融透明樹脂材の流動圧によるフィルム材の移動を防止し、フィルム材の皺発生を防止することができる。
第２中間体の裏面に射出成形によって縁部の放射方向端部の表面を覆う基材樹脂層を備えたインサート成形品を形成する基材樹脂層形成工程を有するため、最終製品であるインサート成形品の外周側面からフィルム材の端部の露出を防止でき、フィルム材端部が視認されることを防止できる。
【００１２】
請求項２の発明は、請求項１の発明において、前記中間体形成工程において、前記縁部に放射方向内側に凹入した１又は複数の凹部を形成し、前記透明樹脂層形成工程において、前記１又は複数の凹部により前記第１中間体を位置決めすることを特徴としている。
この構成によれば、透明樹脂層形成工程における第１中間体の位置決め精度を向上することができる。
【００１３】
請求項３の発明は、請求項１又は２の発明において、前記透明樹脂層形成工程において、前記第１中間体をロケートピンで位置決めすると共に前記透明樹脂層のロケートピンに対応した位置に放射方向内側に凹設された受面部が形成され、前記基材樹脂層形成工程において、前記基材樹脂層が前記受面部を覆うように形成されたことを特徴としている。
この構成によれば、第１中間体の位置決め精度と見栄え向上とを両立することができる。
【００１４】
請求項４の発明は、請求項１〜３の何れか１項の発明において、前記中間体形成工程において、前記縁部に放射方向に延びる複数の切れ込みを形成することを特徴としている。
この構成によれば、第１中間体の金型による固定強化のために縁部を延ばした場合でも、第１中間体に発生する皺の発生を抑制することができる。
【００１５】
請求項５の発明は、請求項１〜４の何れか１項の発明において、前記中間体形成工程において、前記意匠部に凹凸形状を形成し、前記基材樹脂層形成工程において、前記インサート成形品の厚みが均一になるように前記基材樹脂層を形成することを特徴としている。
この構成によれば、深み感を備えつつ電波透過性を確保することができる。
請求項６の発明は、意匠部を備えたフィルム材の表面に透明樹脂層を形成すると共に裏面に基材樹脂層を形成するフィルム材のインサート成形方法において、前記フィルム材の最終形状の外周端より内側に放射方向に延びる縁部を備えた第１中間体を形成すると共に前記縁部に放射方向内側に凹入した１又は複数の凹部を形成する中間体形成工程と、前記１又は複数の凹部を介して位置決めされ且つ前記縁部が固定された第１中間体の表面に射出成形によって透明樹脂層を備えた第２中間体を形成する透明樹脂層形成工程と、前記第２中間体の裏面に射出成形によって前記縁部の放射方向端部の表面を覆う基材樹脂層を備えたインサート成形品を形成する基材樹脂層形成工程とを有することを特徴とするフィルム材のインサート成形方法である。
この構成によれば、少なくとも請求項２の発明と同様の効果が得られる。
請求項７の発明は、意匠部を備えたフィルム材の表面に透明樹脂層を形成すると共に裏面に基材樹脂層を形成するフィルム材のインサート成形方法において、前記フィルム材の表裏両面に色付けをする色付工程と、前記フィルム材の最終形状の外周端より内側に放射方向に延びる縁部を備えた第１中間体を形成する中間体形成工程と、ロケートピンで位置決めされ且つ前記縁部が固定された第１中間体の表面に射出成形によって透明樹脂層を備えた第２中間体を形成するとともに、前記透明樹脂層のロケートピンに対応した位置に放射方向内側に凹設された受面部を形成する透明樹脂層形成工程と、前記第２中間体の裏面に射出成形によって前記縁部の放射方向端部の表面と前記受面部を覆う基材樹脂層を備えたインサート成形品を形成する基材樹脂層形成工程とを有することを特徴とするフィルム材のインサート成形方法である。
この構成によれば、少なくとも請求項３の発明と同様の効果が得られる。
【００１６】
請求項８の発明は、意匠部を備えたフィルム材の表面に透明樹脂層を形成すると共に裏面に基材樹脂層を形成するフィルム材のインサート成形装置において、前記フィルム材の表裏両面に色付けをする色付手段と、前記フィルム材の最終形状の外周端より内側に放射方向に延びる縁部を備え且つ前記縁部が固定された第１中間体の表面に射出成形によって透明樹脂層を備えた第２中間体を形成する透明樹脂層形成手段と、前記第２中間体の裏面に射出成形によって前記縁部の放射方向端部の表面を覆う基材樹脂層を備えたインサート成形品を形成する基材樹脂層形成手段と、を有することを特徴としている。
この構成によれば、フィルム材の最終形状の外周端近傍部に形成された放射方向外側に延びる縁部を備え且つ縁部が固定された第１中間体の表面に射出成形によって透明樹脂層を備えた第２中間体を形成する透明樹脂層形成手段を有するため、透明樹脂層形成工程のとき、フィルム材の縁部を固定することができ、これにより、ゲート内を流動する溶融透明樹脂材の流動圧によるフィルム材の移動を防止し、フィルム材の皺発生を防止することができる。第２中間体の裏面に射出成形によって縁部の放射方向外側端部の表面を覆う基材樹脂層を備えたインサート成形品を形成する基材樹脂層形成手段を有するため、最終製品であるインサート成形品の外周側面からフィルム材の端部が露出することを防止でき、フィルム材端部の視認を防止することができる。
【００１７】
請求項９の発明は、請求項８の発明において、前記透明樹脂層形成手段が、前記縁部の放射方向内側に凹入した１又は複数の凹部により前記第１中間体を位置決めする位置決め機構を備えたことを特徴としている。
この構成によれば、透明樹脂層形成工程における第１中間体の位置決め精度を向上することができる。
【発明の効果】
【００１８】
本発明のフィルム材のインサート成形方法及びその装置によれば、製造工程を簡略化しつつ最終製品の見栄えを向上することができる。
【図面の簡単な説明】
【００１９】
【図１】実施例１に係るフィルム材のインサート成形方法によって製造された車両のエンブレムの部分縦断面斜視図である。
【図２】図１の要部拡大図であって、（ａ）はａ領域、（ｂ）はｂ領域の拡大図である。
【図３】フィルム材のインサート成形方法のフローチャートである。
【図４】中間体形成工程のフローチャートである。
【図５】色付工程の工程図である。
【図６】凹凸作成工程を順番に示す工程図である。
【図７】第１中間体の正面図である。
【図８】透明樹脂層形成工程のフローチャートである。
【図９】第１金型本体と入子型の分解斜視図である。
【図１０ａ】透明樹脂層形成工程の第１工程における第１，第２金型の縦断面図である。
【図１０ｂ】透明樹脂層形成工程の第２工程における第１，第２金型の縦断面図である。
【図１０ｃ】透明樹脂層形成工程の第３工程における第１，第２金型の縦断面図である。
【図１０ｄ】透明樹脂層形成工程の第４工程における第１，第２金型の縦断面図である。
【図１１】サイドゲート回りの縦断面図である。
【図１２】透明樹脂層形成工程における樹脂温度のタイムチャートである。
【図１３】第１金型本体のロケートピン回りの縦断面図であって、（ａ）はエジェクト前、（ｂ）はエジェクト時の図である。
【図１４】基材樹脂層形成工程のフローチャートである。
【図１５ａ】基材樹脂層形成工程の第１工程における第１，第２金型の横断面図である。
【図１５ｂ】基材樹脂層形成工程の第２工程における第１，第２金型の横断面図である。
【図１５ｃ】基材樹脂層形成工程の第３工程における第１，第２金型の横断面図である。
【図１５ｄ】基材樹脂層形成工程の第４工程における第１，第２金型の横断面図である。
【発明を実施するための形態】
【００２０】
以下、本発明の実施形態を図面に基づいて詳細に説明する。
以下の説明は、本発明を車両のエンブレムの成形方法及びその装置に適用したものを例示したものであり、本発明、その適用物、或いは、その用途を制限するものではない。
【実施例１】
【００２１】
以下、本発明の実施例１について図１〜図１５に基づいて説明する。
まず、エンブレム１（インサート成形品）が装着される車両について説明する。
この車両は、フロントグリルの裏面側位置にミリ波レーダ（図示略）を備えている。
ミリ波レーダは、３０ＧＨｚ〜３００ＧＨｚの周波数、１〜１０ｍｍの波長を有するミリ波を用いて、自車両から送信された送信波と対象物（例えば先行車両等）から反射された受信波との差に基づき対象物と自車両との車間距離や相対速度を測定可能に構成され、この検出値を用いてオートクルーズシステム等の運転支援システムが実行される。
ミリ波レーダ前方に存在する壁部肉厚が均一に形成されていない場合、厚肉部分と薄肉部分とのミリ波の透過速度に差が生じ、検出値のばらつきに起因して制御精度が低下するため、本実施例では、レーダの進行経路内に厚みが均一に構成されたエンブレム１が含まれるようにミリ波レーダの設置位置が規定されている。
【００２２】
次に、最終製品であるエンブレム１について説明する。
図１に示すように、エンブレム１は、意匠部が形成された第１中間体２と、この第１中間体２の表面に形成された透明樹脂層３と、第１中間体２の裏面に形成された基材樹脂層４等を備えている。このエンブレム１の厚み寸法は、ミリ波レーダが照射するミリ波の波長の半分の整数倍になるように均一に設定されている。
【００２３】
第１中間体２は、光の透過と反射を波長毎に制御できる波長選択性を備え、レーダ光の反射率９０％以上を有し且つ重金属を含まないフィルム材１１（例えば東レ株式会社製ＰＩＣＡＳＵＳ（登録商標））で構成されている。
この第１中間体２は、形状部５ａと、この形状部５ａ周りに形成された背景部５ｂとから構成された意匠部５を備えている。形状部５ａは、金属光沢（例えば銀色等）を備えた所定のマーク形状及びこのマーク形状を囲む楕円形状が背景部５ｂから表面方向に凸状形成されており、背景部５ｂは、形状部５ａを除く領域に黒色で意匠表現されている。
【００２４】
図１に示すように、第１中間体２の表面は、透明な透明樹脂層３によって一様に覆われている。これにより、意匠部５に深み感を与え、エンブレム１の意匠性を高めている。
透明樹脂層３は、非晶性合成樹脂からなる透明樹脂材１２（例えばポリカーボネート（ＰＣ））で構成されている。この透明樹脂材１２は、分子鎖を有し、溶融状態から冷却、固化する過程で規則的な分子配列をとれないため、ガラス転移温度Ｔｇを超えると機械的強度が急激に低下する特性を有している。
また、透明樹脂材１２は、固化状態においてもランダムな配列になることから、結晶性合成樹脂（例えばポリエチレン（ＰＥ）、ポリプロピレン（ＰＰ）等）と比較して加熱又は冷却において容積の膨張又は収縮において緩やかな変化傾向を有している。
本実施例では、透明樹脂層３の外部に露出した表面を紫外線カット効果を備えたハードコート層で一様に被覆している。
以下、第１中間体２の表面に透明樹脂層３が形成された中間構造体を、説明の便宜上、第２中間体６として説明する。
【００２５】
図１，図２（ａ），図２（ｂ）に示すように、第１中間体２（第２中間体６）の裏面及び第１中間体２の放射方向外側端部の外周部分は、有色（例えば黒色等）の基材樹脂層４によって一様に覆われている。これにより、エンブレム１の剛性を確保しつつ、見栄え向上を図っている。
基材樹脂層４は、非晶性合成樹脂からなる基材樹脂材１３（例えばアクリルニトリルブタジエンスチレン共重合体（ＡＢＳ））で構成されている。この基材樹脂材１３は、透明樹脂材１２のガラス転移温度Ｔｇ（１４５℃）に比べて低いガラス転移温度を有している。
尚、ＡＢＳに代えて、ポリカーボネート、ポリカＡＢＳ（ＰＣ／ＡＢＳ）、ポリカＰＢＴ（ＰＣ／ＰＢＴ）の何れかによって基材樹脂材１３を構成しても良い。
【００２６】
次に、エンブレム１の成形方法について説明する。
以下の説明は、インサート成形装置の説明を含むものである。
図３に示すように、エンブレム１のインサート成形処理手順は、フィルム材１１の最終形状の外周端より内側に放射方向に延びる縁部２ａを備えた第１中間体２（図７参照）を形成する中間体形成工程Ｓ１と、第１，第２金型３１，３２により縁部２ａが固定された第１中間体２の表面に射出成形によって透明樹脂層３を備えた第２中間体６を形成する透明樹脂層形成工程Ｓ２と、第２中間体６の裏面に射出成形によって縁部２ａの放射方向外側端部を覆う基材樹脂層４を備えたインサート成形品としてのエンブレム１を形成する基材樹脂層形成工程Ｓ３とを備えている。
【００２７】
まず、中間体形成工程Ｓ１について詳細に説明する。
図４に示すように、中間体形成工程Ｓ１は、長尺帯状のフィルム材１１の表裏両面に夫々連続して意匠部５に係るスクリーン印刷を行う色付工程Ｓ１１と、各意匠部５の形状部５ａに凹凸形状（凹凸意匠）を形成する凹凸作成工程Ｓ１２と、長尺帯状のフィルム材１１から最終の外形形状になるように不要な部分を取除くトリミングを行ってエンブレム１に対応したフィルム材１１の最終形状（第１中間体２）を形成するトリミング工程Ｓ１３とから構成されている。
【００２８】
図５に示すように、色付工程Ｓ１１では、矢印方向に移動する長尺帯状のフィルム材１１の表裏両面に色付装置２１によって連続印刷している。
色付装置２１は、フィルム材１１の表面に形状部５ａの形状に対応したマスク処理を行い、１巡目にて、マスク処理を行ったフィルム材１１の表面のマスク処理されていない領域（背景部５ｂ）に黒色塗料を転写し、マスクを取り外して乾燥させた後、二巡目にて、フィルム材１１の裏面に灰色塗料を転写し、乾燥させている。
これにより、長尺帯状のフィルム材１１に、凹凸が形成されていない形状部５ａと背景部５ｂとからなる複数の意匠部５が連続して印刷される。
【００２９】
凹凸作成工程Ｓ１２では、長尺帯状のフィルム材１１の形状部５ａに対応する位置に圧空成形型２２，２３によって凹凸形状を形成している。
図６（ａ），図６（ｂ）に示すように、所定位置に配置され且つ加熱軟化されたフィルム材１１を圧空成形型２２，２３の型閉め動作によって挟み込み、型２２とフィルム材１１の間を真空にすると共に型２３側から供給される圧縮空気の圧力によってフィルム材１１を型２２に密着させて凹凸形状を成形している。
これにより、フィルム材１１の形状部５ａに対応する位置、所謂中央のマーク及びマークを囲む楕円部分に高低差約５ｍｍ程度の凹凸意匠が形成されている。
尚、圧空成形に代えて真空成形で凹凸形状を成形しても良い。
【００３０】
トリミング工程Ｓ１３では、トリミング装置（図示略）によってフィルム材１１から第１中間体２を形成している。
図７に示すように、第１中間体２は、形状部５ａと背景部５ｂからなる意匠部５を含み且つエンブレム１に対応するように正面視にて略楕円状に形成され、外周端近傍部に放射方向外側に僅かに延びる縁部２ａを備えている。
縁部２ａの放射方向寸法は、透明樹脂層形成工程Ｓ２において僅かに残る程度の寸法である。
【００３１】
縁部２ａは、第１中間体２の全周に亙って一様に形成されている。
この縁部２ａには、長径方向両端部に放射方向内側に凹入した略矩形状の１対の凹部２ｂと、全周に亙って放射方向に延びる複数の切れ込み部２ｃが設けられている。
縁部２ａのうち、後述するランナー３８ｂに対向する部分には、縁部２ａの放射方向外側端から放射方向外側に延びる延長部２ｄが形成されている。
この延長部２ｄは、先端部分がランナー３８ｂ内に部分的に侵入可能な寸法に設定されている（図１１参照）。
【００３２】
次に、透明樹脂層形成工程Ｓ２について詳細に説明する。
図８に示すように、透明樹脂層形成工程Ｓ２は、第１，第２金型３１，３２を準備する準備工程Ｓ２１と、第１中間体２を第１金型３１に配置する配置工程Ｓ２２と、第１中間体２を第１金型３１に対して位置決め支持する拘束工程Ｓ２３と、型閉工程Ｓ２４と、射出機構（図示略）により溶融した透明樹脂材１２をキャビティＣ１に射出する射出工程Ｓ２５と、透明樹脂材１２を第１冷却速度Ｋ１で冷却する第１冷却工程Ｓ２６と、型開工程Ｓ２７と、第２中間体６を第２冷却速度Ｋ２で冷却する第２冷却工程Ｓ２８等を有している。ここで、第１，第２金型３１，３２が、透明樹脂層形成手段に相当している。
【００３３】
準備工程Ｓ２１では、可動型である第１金型３１と、この第１金型３１と協働してキャビティＣ１を構成する固定型である第２金型３２とを準備している。
第１金型３１は、第１中間体２を水平方向に対して略直交姿勢の状態で支持可能に設けられ、金型温度を調節可能に構成されている。
図９，図１０ａ〜図１０ｄに示すように、第１金型３１は、第１中間体２を真空吸引可能な真空ポンプ３３（吸引機構）と、本体３１ａと、この本体３１ａに設けられた凹所に挿入可能な入子型３１ｂ等を備えている。
入子型３１ｂは、平面視にて形状部５ａの平面形状と同一形状に形成され、入子型３１ｂの一側半部内には本体３１ａの一部が予め装填されている。
本体３１ａと入子型３１ｂは、形状部５ａと背景部５ｂとの境界部に対応した部分に分割隙間（間隔約０．０５ｍｍ）である第１吸引通路３４ａを形成している。
第１吸引通路３４ａは何れも環状に連通されている。また、後述する凸部３６の下流側近傍位置には、第２吸引通路３４ｂが形成されている。
【００３４】
第１金型３１は、可動部３１ｃと、真空ポンプ３３の吸引力を第１，第２吸引通路３４ａ，３４ｂに伝達する複数の溝部３４ｃと、これら複数の溝部３４ｃに均一な吸引力を分配する分配部３５と、本体３１ａのランナー３８ｂの上流部分に対応した位置に形成された凸部３６と、１対のロケートピン３７（位置決め機構）等を備えている。
【００３５】
可動部３１ｃは、本体３１ａのランナー３８ｂに対応した位置を除く第２金型３２側外周部分に設けられ、第２金型３２方向に付勢された状態で本体３１ａから僅かに（例えば約１．３ｍｍ）離隔して配設されている。付勢力及び離隔距離は、この付勢力で可動部３１ｃが第２金型３２に当接しているとき、射出工程Ｓ２５におけるキャビティＣ１内の空気を外部に排出可能な値に設定されている。
射出工程Ｓ２５の際、キャビティＣ１内の透明樹脂材１２が所定の充填率（例えば８０％）に到達したとき、可動部３１ｃが本体３１ａに最接近するように第１金型３１の進出動作が調整されている。
【００３６】
図１０ａ〜図１０ｄに示すように、複数の溝部３４ｃは、第１，第２吸引通路３４ａ，３４ｂの端部分に夫々対応して形成されている。
分配部３５は、第１，第２吸引通路３４ａ，３４ｂを真空ポンプ３３に連通している。この分配部３５は、入子型３１ｂの第２金型３２と反対側部分（第１，第２吸引通路３４ａ，３４ｂの上流側部分）に設けられ、複数の溝部３４ｃに並列状に連結されている。
【００３７】
図９，図１１に示すように、立方体状の凸部３６は、第１中間体２の延長部２ｄの上流側近傍位置において、本体３１ａから直交状に第２金型３２方向に突出し、ランナー３８ｂ内を型面方向一端側から他端側に亙って横切るように形成されている。
凸部３６とランナー３８ｂを構成する第２金型３２の凸部３６に対向する壁部が、透明樹脂材１２の流れ方向変更手段に相当している。
１対のロケートピン３７は、第１中間体２の長径方向両端部に形成された１対の凹部２ｂに夫々嵌合可能に構成されている。これら１対のロケートピン３７は、本体３１ａから第２金型３２方向に進出及び後退可能に夫々形成され、透明樹脂層３の受面部３ａに係合することにより第２中間体６のエジェクト機能を備えている。
【００３８】
図１０ａ〜図１０ｄに示すように、第２金型３２は、第２中間体６を水平方向に対して略直交姿勢の状態で成形可能に設けられ、金型温度を調節可能に構成されている。
第２金型３２は、射出機構と、この射出機構とサイドゲートとをランナー３８ｂを介して連通する導入ゲート３８ａと、ランナー３８ｂの一部を構成し且つ第１金型３１に対向した壁部等を備えている。この第２金型３２と第１金型３１とが型閉めされたとき、第１，第２金型３１，３２が協働してキャビティＣ１とランナー３８ｂを形成し、ランナー３８ｂの下流端部がサイドゲートを形成している。
図１１に示すように、導入ゲート３８ａは、第１金型３１側程径寸法が大きくなるように設定され、型閉め時、ランナー３８ｂとの連結部には所定容量の容積室が形成されるように構成されている。
【００３９】
図１０ａに示すように、第１，第２金型３１，３２を離隔させた状態で、第１中間体２を第１金型３１の規定位置に配置する。配置工程Ｓ２２では、第１中間体２に形成された１対の凹部２ｂを１対のロケートピン３７に夫々嵌合させて位置決めしている。
図１０ｂに示すように、拘束工程Ｓ２３では、形状部５ａと背景部５ｂとの境界部に対応した第１吸引通路３４ａを介して第１中間体２を第１金型３１方向に吸引する。
形状部５ａと背景部５ｂとの境界部を吸引することにより、商品性を維持しつつ支持能力を向上している。特に、形状部５ａが凹凸形状の場合には、境界部（稜線部）に積極的に吸引痕をつけることにより形状部５ａの形状精度を高くすることができる。
また、第１吸引通路３４ａを形状部５ａに対応させて環状に連通することにより、第１中間体２を全域に亙って均等な吸引力で吸引固定している。
【００４０】
図１０ｃに示すように、型閉工程Ｓ２４では、第１金型３１が接近移動することにより、第１，第２金型３１，３２の型面が当接してキャビティＣ１を形成する。
本体３１ａに対して位置決めされた第１中間体２が、第１，第２金型３１，３２による型閉めにより延長部２ｄに対応した縁部２ａを除いて略全周に亙って縁部２ａが第１，第２金型３１，３２に挟持されるため、規定された位置に確実に保持される。
このとき、可動部３１ｃは、所定の付勢力により本体３１ａから離隔している。
【００４１】
図１０ｄに示すように、射出工程Ｓ２５では、射出温度Ｔ１まで加熱された溶融透明樹脂材１２をキャビティＣ１内に射出する。溶融透明樹脂材１２は、射出機構から射出され、導入ゲート３８ａ及びランナー３８ｂを介してキャビティＣ１内に供給される。
図１１の矢印Ｆに示すように、凸部３６が、ランナー３８ｂ内を流動する透明樹脂材１２を凸部３６と反対方向のランナー３８ｂの一部を構成する第２金型３２の壁部に向けて方向変換させ、その後、ランナー３８ｂの一部を構成する第２金型３２の壁部が、第１中間体２の延長部２ｄを第１金型３１方向に押圧するように透明樹脂材１２の流動方向を変更している。これにより、第１中間体２の延長部２ｄには、第２吸引通路３４ｂからの吸引力と透明樹脂材１２からの押圧力とが第１金型３１方向に作用している。
また、キャビティＣ１内の透明樹脂材１２の充填率が８０％未満の期間は、第２金型３２と可動部３１ｃの接触圧力が所定の値に調整されているため、キャビティＣ１内の空気が透明樹脂材１２の流入を阻害することなく外部に排出される。これにより、透明樹脂材１２の注入に同期してキャビティＣ１内から空気を円滑に排出することができる。
【００４２】
第１冷却工程Ｓ２６では、透明樹脂材１２を射出温度Ｔ１から金型温度Ｔ２まで第１冷却速度Ｋ１で冷却する。これにより、透明樹脂層３を成形している。
透明樹脂材１２が非晶性合成樹脂であるため、成形性を考慮したガラス転移温度Ｔｇと金型温度Ｔ２との関係は、次式（１）で表すことができる。
Ｔｇ−４０≦Ｔ２≦Ｔｇ−２０                                        …（１）
従って、透明樹脂材１２がポリカーボネートの場合、２５０℃≦Ｔ１≦３２０℃、１０５℃≦Ｔ２≦１２５℃の温度範囲とされ、本実施例では、射出温度Ｔ１を３００℃、金型温度Ｔ２を１２０℃に設定している。
【００４３】
図１２に示すように、溶融透明樹脂材１２がキャビティＣ１内に供給されるｔ１〜ｔ２の期間（射出工程Ｓ２５）は、透明樹脂材１２の温度が射出温度Ｔ１に維持され、射出工程Ｓ２５の終了と同時に透明樹脂材１２の冷却が開始される。
第１冷却速度Ｋ１は、射出温度Ｔ１と、金型温度Ｔ２と、冷却期間（ｔ３−ｔ２）との関係によって次式（２）のように設定されている。
（Ｔ１−Ｔｇ＋４０）／（ｔ３−ｔ２）≦Ｋ１≦（Ｔ１−Ｔｇ＋２０）／（ｔ３−ｔ２）                                                                  …（２）
尚、冷却期間（ｔ３−ｔ２）は、成形能率と成形性とを考慮して透明樹脂材１２の種類毎に予め設定されている。
【００４４】
また、第１冷却工程Ｓ２６と同時に保圧工程が開始される。
この保圧工程は、第１冷却工程Ｓ２６の期間のうち所定期間第１中間体２と透明樹脂層３とをキャビティＣ１内で保圧している。
型開工程Ｓ２７は、ｔ３〜ｔ４の期間に実行され、第１金型３１を第２金型３２から離隔するように後退移動させた後、第２中間体６を取り出す。
【００４５】
図２（ｂ），図１３（ａ）に示すように、第２中間体６の透明樹脂層３には、凹部２ｂに対応した位置に放射方向内側に凹設された矩形状の受面部３ａが設けられ、１対のロケートピン３７の放射方向内側端部分が、第２中間体６の放射方向外側端部分に部分的に重なり合うことにより係合可能に夫々形成されている。
それ故、図１３（ｂ）に示すように、型開き後、１対のロケートピン３７の進出動作により第２中間体６が第１金型３１から取り出される。
尚、受面部３ａは、角状（矩形状）の凹設部に限らず、傾斜による凹設部であっても良い。傾斜による凹設部の場合、反射光の急激な輝度変化がなく、見栄え改善による商品性向上を図ることができる。
【００４６】
第２冷却工程Ｓ２８では、キャビティＣ１の外に取り出された第２中間体６を第１冷却速度Ｋ１よりも速い第２冷却速度Ｋ２で常温（例えば２０〜３０℃）まで冷却する。
図１２に示すように、第１金型３１から取り出された第２中間体６は、型開工程Ｓ２８の終了と同時に冷却が開始され、ｔ４〜ｔ５の期間冷却される。
これにより、熱収縮速度の速い第１中間体２と、この第１中間体２と一体化された熱収縮速度の遅い透明樹脂層３との収縮量を揃えることができ、両者間に生じる剥離に起因した隙間の発生を抑制している。
【００４７】
第２冷却工程Ｓ２８の第２冷却速度Ｋ２は、２℃／ｓｅｃ以上で透明樹脂層３の収縮促進効果が発揮され、４℃／ｓｅｃ以上で高い効果を期待することができる。
第２中間体６は、第１金型３１からの取り出しと同時に常温水に浸けられている。
第２中間体６の冷媒は、所定の冷却速度を管理できれば良く、ウォータミストによって冷却しても良く、ドライアイスによって冷却することも可能である。
【００４８】
次に、基材樹脂層形成工程Ｓ３について詳細に説明する。
図１４に示すように、基材樹脂層形成工程Ｓ３は、第１，第２金型４１，４２を準備する準備工程Ｓ３１と、第２中間体６を第１金型４１に配置する配置工程Ｓ３２と、第２中間体６を第１金型４１に対して位置決め支持する拘束工程Ｓ３３と、型閉工程Ｓ３４と、射出機構（図示略）により溶融した基材樹脂材１３をキャビティＣ２に射出する射出工程Ｓ３５と、基材樹脂材１３を冷却する冷却工程Ｓ３６と、型開工程Ｓ３７等を有している。ここで、第１，第２金型４１，４２が、基材樹脂層形成手段に相当している。
【００４９】
準備工程Ｓ３１では、固定型である第１金型４１と、この第１金型４１と協働してキャビティＣ２を構成する可動型である第２金型４２とを準備している。
第１金型４１は、第２中間体６を水平方向に対して略直交姿勢の状態で支持可能に設けられ、金型温度を調節可能に構成されている。
図１５ａ〜図１５ｄに示すように、第１金型４１は、１対の開口部４１ａと、第２中間体６を真空吸引可能な真空ポンプ４３（吸引機構）と、１対の開口部４１ａに真空ポンプ４３の吸引力を夫々伝達する１対の吸引通路４４と、真空ポンプ４３の吸引力を通路毎に均一化して分配する分配部４５等を備えている。
尚、説明の便宜上、図１５ａ〜図１５ｄは横断面図を示している。
【００５０】
１対の開口部４１ａは、第２中間体６の透明樹脂層３を吸引するように構成され、略椀状に夫々形成されている。これら開口部４１ａは、透明樹脂層３の表面から第１中間体２までの厚みが第２中間体６の平均厚みよりも厚い領域に対応するように略対称位置に配置されている。本実施例では、第２中間体６の中心に対して長径方向両側の背景部５ｂの位置Ｐ（図７参照）に対応した位置に１対の開口部４１ａを配設している。
１対の開口部４１ａは、真空ポンプ４３と１対の吸引通路４４及び分配部４５を介して夫々連通されている。分配部４５は、一端部が真空ポンプ４３に接続され、他端部が１対の吸引通路４４の上流側端部と並列状に接続されている。
【００５１】
図１５ａ〜図１５ｄに示すように、第２金型４２は、第２中間体６を水平方向に対して略直交姿勢の状態で成形可能に設けられ、金型温度を調節可能に構成されている。
第２金型４２は、射出機構（図示略）と、この射出機構とキャビティＣ２とを連通する導入ゲート４８等を備えている。この第２金型４２と第１金型４１とが型閉めされたとき、第１，第２金型４１，４２が協働してキャビティＣ２を形成している。
キャビティＣ２の形状は、最終のインサート成形品の厚みが略均一で且つ第１中間体２の縁部２ａの放射方向外側端部の表面及び受面部３ａを覆う基材樹脂層４を形成するように構成されている。
導入ゲート４８は、キャビティＣ２の中央部分に対応するように形成され、第１金型４１側程径寸法が大きくなるように構成されている。
【００５２】
図１５ａに示すように、第１，第２金型４１，４２を離隔させた状態で、第２中間体６を第１金型４１の規定位置に配置する。
配置工程Ｓ３２では、透明樹脂層３の長径方向両側の背景部５ｂに対応した領域（位置Ｐに対応した領域）が１対の開口部４１ａに当接するように位置決めしている。
図１５ｂに示すように、拘束工程Ｓ３３では、１対の開口部４１ａを介して第２中間体６を第１金型４１方向に吸引する。第２中間体６を長径方向に略３等分した位置で支持するため、均等な吸引力で支持能力を高くすることができる。
【００５３】
図１５ｃに示すように、型閉工程Ｓ３４では、第２金型４２が接近移動することにより、第１，第２金型４１，４２が当接してキャビティＣ２を形成する。
図１５ｄに示すように、射出工程Ｓ３５では、射出温度Ｔ３まで加熱された溶融基材樹脂材１３をキャビティＣ２内に射出する。溶融基材樹脂材１３は、射出機構から射出され、導入ゲート４８を介してキャビティＣ２内に供給される。
基材樹脂材１３がＡＢＳの場合、射出温度（溶融温度）Ｔ３が１８０〜２７０℃であり、ポリカーボネートのガラス転移温度Ｔｇよりも高いため、透明樹脂層３の軟化に起因した吸引痕が懸念されるが、溶融基材樹脂材１３の熱が最も伝達され難い部分（位置Ｐに対応した領域）で支持することにより、吸引痕の発生を回避している。また、第１中間体２の縁部２ａに放射方向に延びる複数の切れ込み部２ｃが形成されているため、皺対策に加えて、溶融基材樹脂材１３の縁部２ａの表面側への回り込み性を高めている。
【００５４】
冷却工程Ｓ３６では、基材樹脂材１３を射出温度Ｔ３から金型温度Ｔ４まで一定の冷却速度で冷却する。溶融基材樹脂材１３を固化させることにより、基材樹脂層４を成形している。基材樹脂材１３がＡＢＳの場合、４０℃≦Ｔ４≦８０℃の温度範囲とされる。
冷却工程Ｓ３６の冷却速度は、射出温度Ｔ３と、金型温度Ｔ４と、冷却期間との関係によって設定され、冷却期間は、成形能率と成形性とを考慮して基材樹脂材１３の種類毎に予め設定している。
【００５５】
また、冷却工程Ｓ３６と同時に保圧工程が開始される。
この保圧工程は、冷却工程Ｓ３６の期間のうち所定期間第２中間体６と基材樹脂層４とをキャビティＣ２内で保圧している。
型開工程Ｓ３７では、第２金型４２を第１金型４１から離隔するように後退移動させた後、エジェクト機構（図示略）により最終製品であるエンブレム１を取り出し、透明樹脂層３の表面にハードコート処理を施す。
【００５６】
次に、本実施例のフィルム材のインサート成形方法及びその装置における作用、効果について説明する。
本インサート成形方法によれば、フィルム材１１の最終形状の外周端より内側に放射方向に延びる縁部２ａを備えた第１中間体２を形成する中間体形成工程Ｓ１と、縁部２ａが固定された第１中間体２の表面に射出成形によって透明樹脂層３を備えた第２中間体６を形成する透明樹脂層形成工程Ｓ２とを有するため、透明樹脂層形成工程Ｓ２のとき、第１中間体２の縁部２ａを第１，第２金型３１，３２に対して固定することができ、これにより、サイドゲートを含むランナー３８ｂ内を流動する溶融透明樹脂材１２の流動圧によるフィルム材１１の移動を防止し、フィルム材１１の皺発生を防止することができる。
第２中間体６の裏面に射出成形によって縁部２ａの放射方向外側端部の表面を覆う基材樹脂層４を備えたエンブレム１を形成する基材樹脂層形成工程Ｓ３を有するため、最終製品であるエンブレム１の外周側面からフィルム材１１の端部の露出を防止でき、フィルム材１１端部が視認されることを防止できる。
【００５７】
中間体形成工程Ｓ１において、縁部２ａに放射方向内側に凹入した１対の凹部２ｂを形成し、透明樹脂層形成工程Ｓ２において、１対の凹部２ｂにより第１中間体２を位置決めするため、透明樹脂層形成工程Ｓ２における第１中間体２の位置決め精度を向上することができる。
透明樹脂層形成工程Ｓ２において、第１中間体２をロケートピン３７で位置決めすると共に透明樹脂層３のロケートピン３７に対応した位置に放射方向内側に凹設された受面部３ａが形成され、基材樹脂層形成工程Ｓ３において、基材樹脂層４が受面部を覆うように形成されたため、第１中間体２の位置決め精度と見栄え向上とを両立することができる。
【００５８】
中間体形成工程Ｓ１において、縁部２ａに放射方向に延びる複数の切れ込み部２ｃを形成するため、第１中間体２の第１，第２金型３１，３２による固定強化のために縁部２ａを延ばした場合でも、第１中間体２に発生する皺の発生を抑制することができる。
中間体形成工程Ｓ１において、意匠部５に凹凸形状を形成し、基材樹脂層形成工程Ｓ３において、エンブレム１の厚みが均一になるように基材樹脂層４を形成するため、深み感を備えつつ電波透過性を確保することができる。
【００５９】
本インサート成形装置は、意匠部５を備えたフィルム材１１の表面に透明樹脂層３を形成すると共に裏面に基材樹脂層４を形成するフィルム材１１のインサート成形装置において、フィルム材１１の最終形状の外周端より内側に形成された放射方向に延びる縁部２ａを備え且つ縁部２ａが固定された第１中間体２の表面に射出成形によって透明樹脂層３を備えた第２中間体６を形成する第１，第２金型３１，３２と、第２中間体６の裏面に射出成形によって縁部２ａの放射方向外側端部の表面を覆う基材樹脂層４を備えたエンブレム１を形成する第１，第２金型４１，４２と、を有している。
この構成によれば、フィルム材１１の最終形状の外周端より内側に形成された放射方向に延びる縁部２ａを備え且つ縁部２ａが固定された第１中間体２の表面に射出成形によって透明樹脂層３を備えた第２中間体６を形成する第１，第２金型３１，３２を有するため、透明樹脂層形成工程Ｓ２のとき、フィルム材１１の縁部２ａを固定することができ、これにより、サイドゲート３８ｂ内を流動する溶融透明樹脂材１２の流動圧によるフィルム材１１の移動を防止し、フィルム材１１の皺発生を防止することができる。第２中間体６の裏面に射出成形によって縁部２ａの放射方向外側端部の表面を覆う基材樹脂層４を備えたエンブレム１を形成する第１，第２金型４１，４２を有するため、最終製品であるエンブレム１の外周側面からフィルム材１１の端部が露出することを防止でき、フィルム材１１端部の視認を防止することができる。
【００６０】
第１，第２金型３１，３２が、縁部２ａの放射方向内側に凹入した１対の凹部２ｂにより第１中間体２を位置決めする１対のロケートピン３７を備えたため、透明樹脂層形成工程Ｓ２における第１中間体２の位置決め精度を向上することができる。
【００６１】
次に、前記実施形態を部分的に変更した変形例について説明する。
１〕前記実施形態においては、形状部が凹凸形成された意匠部の例を説明したが、少なくとも３層構造において、中間層が意匠部を備えたフィルム材で形成されれば良く、意匠部が色彩のみで区別された形状部と背景部とにより形成されたインサート成形品であっても良い。この場合、形状部と背景部との色彩境界部が、金型本体と入子型間の分割隙間に対応するように形成する。
【００６２】
２〕前記実施形態においては、長径方向両端部に１対の凹部を形成した例を説明したが、少なくとも前後左右の位置決めができれば良く、矩形状の場合、１つの凹部であっても良い。３以上の凹部を設ける場合、角部のない断面円状のロケートピンであっても良い。
【００６３】
３〕前記実施形態においては、車両の外装品であるエンブレムの例を説明したが、車両の内装品に適用しても良く、また、車両以外の装飾品に適用可能である。
また、透明樹脂層がＰＣ、フィルム材が重金属を含まない特定材質、基材樹脂層がＡＢＳの例を説明したが、少なくとも設計条件に合致した材質であれば良く、任意に選択することができる。
【００６４】
４〕その他、当業者であれば、本発明の趣旨を逸脱することなく、前記実施形態に種々の変更を付加した形態や各実施形態を組み合わせた形態で実施可能であり、本発明はそのような変更形態も包含するものである。
【符号の説明】
【００６５】
１        エンブレム
２        第１中間体
２ａ      縁部
２ｂ      凹部
２ｃ      切れ込み部
３        透明樹脂層
３ａ      受面部
４        基材樹脂層
５        意匠部
１１      フィルム材
３１      （透明樹脂層形成用）第１金型
３２      （透明樹脂層形成用）第２金型
３７      ロケートピン
４１      （基材樹脂層形成用）第１金型
４２      （基材樹脂層形成用）第２金型
Ｓ１      中間体形成工程
Ｓ２      透明樹脂層工程
Ｓ３      基材樹脂層工程
【手続補正２】
【補正対象書類名】特許請求の範囲
【補正対象項目名】全文
【補正方法】変更
【補正の内容】
【特許請求の範囲】
【請求項１】
意匠部を備えたフィルム材の表面に透明樹脂層を形成すると共に裏面に基材樹脂層を形成するフィルム材のインサート成形方法において、
前記フィルム材の表裏両面に色付けをする色付工程と、 
前記フィルム材の最終形状の外周端より内側に放射方向に延びる縁部を備えた第１中間体を形成する中間体形成工程と、
前記縁部が固定された第１中間体の表面に射出成形によって透明樹脂層を備えた第２中間体を形成する透明樹脂層形成工程と、
前記第２中間体の裏面に射出成形によって前記縁部の放射方向端部の表面を覆う基材樹脂層を備えたインサート成形品を形成する基材樹脂層形成工程と、
を有することを特徴とするフィルム材のインサート成形方法。
【請求項２】
前記中間体形成工程において、前記縁部に放射方向内側に凹入した１又は複数の凹部を形成し、
前記透明樹脂層形成工程において、前記１又は複数の凹部により前記第１中間体を位置決めすることを特徴とする請求項１に記載のフィルム材のインサート成形方法。
【請求項３】
前記透明樹脂層形成工程において、前記第１中間体をロケートピンで位置決めすると共に前記透明樹脂層のロケートピンに対応した位置に放射方向内側に凹設された受面部が形成され、
前記基材樹脂層形成工程において、前記基材樹脂層が前記受面部を覆うように形成されたことを特徴とする請求項１又は２に記載のフィルム材のインサート成形方法。
【請求項４】
前記中間体形成工程において、前記縁部に放射方向に延びる複数の切れ込みを形成することを特徴とする請求項１〜３の何れか１項に記載のフィルム材のインサート成形方法。
【請求項５】
前記中間体形成工程において、前記意匠部に凹凸形状を形成し、
前記基材樹脂層形成工程において、前記インサート成形品の厚みが均一になるように前記基材樹脂層を形成することを特徴とする請求項１〜４の何れか１項に記載のフィルム材のインサート成形方法。
【請求項６】
意匠部を備えたフィルム材の表面に透明樹脂層を形成すると共に裏面に基材樹脂層を形成するフィルム材のインサート成形方法において、
前記フィルム材の最終形状の外周端より内側に放射方向に延びる縁部を備えた第１中間体を形成すると共に前記縁部に放射方向内側に凹入した１又は複数の凹部を形成する
中間体形成工程と、
前記１又は複数の凹部を介して位置決めされ且つ前記縁部が固定された第１中間体の表面に射出成形によって透明樹脂層を備えた第２中間体を形成する透明樹脂層形成工程と、
前記第２中間体の裏面に射出成形によって前記縁部の放射方向端部の表面を覆う基材樹脂層を備えたインサート成形品を形成する基材樹脂層形成工程と、
を有することを特徴とするフィルム材のインサート成形方法。
【請求項７】
意匠部を備えたフィルム材の表面に透明樹脂層を形成すると共に裏面に基材樹脂層を形成するフィルム材のインサート成形方法において、
前記フィルム材の表裏両面に色付けをする色付工程と、  
前記フィルム材の最終形状の外周端より内側に放射方向に延びる縁部を備えた第１中間体を形成する中間体形成工程と、
ロケートピンで位置決めされ且つ前記縁部が固定された第１中間体の表面に射出成形によって透明樹脂層を備えた第２中間体を形成するとともに、前記透明樹脂層のロケートピンに対応した位置に放射方向内側に凹設された受面部を形成する透明樹脂層形成工程と、
前記第２中間体の裏面に射出成形によって前記縁部の放射方向端部の表面と前記受面部を覆う基材樹脂層を備えたインサート成形品を形成する基材樹脂層形成工程と、
を有することを特徴とするフィルム材のインサート成形方法。
【請求項８】
意匠部を備えたフィルム材の表面に透明樹脂層を形成すると共に裏面に基材樹脂層を形成するフィルム材のインサート成形装置において、
前記フィルム材の表裏両面に色付けをする色付手段と、
前記フィルム材の最終形状の外周端より内側に放射方向に延びる縁部を備え且つ前記縁部が固定された第１中間体の表面に射出成形によって透明樹脂層を備えた第２中間体を形成する透明樹脂層形成手段と、
前記第２中間体の裏面に射出成形によって前記縁部の放射方向端部の表面を覆う基材樹脂層を備えたインサート成形品を形成する基材樹脂層形成手段と、
を有することを特徴とするフィルム材のインサート成形装置。
【請求項９】
前記透明樹脂層形成手段が、前記縁部の放射方向内側に凹入した１又は複数の凹部により前記第１中間体を位置決めする位置決め機構を備えたことを特徴とする請求項８に記載のフィルム材のインサート成形装置。